(57)【要約】【課題】包装袋内の収容物を容易に確認するとともに情報の表示場所を容易に確保する。【解決手段】包装体６は、複数の吸収性物品１が、透明な包装シート部材にて形成された略直方体の包装袋５に収容されたものである。袋部５１の前面５１３には、不透明な情報表示部５３、および、情報表示部５３の周囲を囲む脆弱線５４が設けられ、包装袋５が脆弱線５４に沿って破断されることにより、開口形成部５５が複数の吸収性物品１から離間して開口が形成される。情報表示部５３の外面５３１には、必須表示情報を含む第１情報５３３が表示され、内面には補助情報を含む第２情報が表示される。包装体６では、包装袋５の情報表示部５３以外の部位を介して吸収性物品１の大きさや色等を容易に確認することができる。また、情報表示部５３の両面に異なる情報を表示することにより、包装袋５において情報の表示場所を容易に確保することができる。【選択図】図１
2013000163.tif 000002
【特許請求の範囲】
【請求項１】
排泄物を受ける吸収性物品、または、吸収性物品を着用する際に吸収性物品の外側を覆う外装物品である収容物が包装袋に収容された包装体であって、
透明のシート部材にて形成された包装袋と、
前記包装袋に収容された複数の収容物と、
を備え、
前記包装袋に、不透明の情報表示部が設けられ、
前記情報表示部の外面に第１情報が表示され、前記情報表示部の内面に第２情報が表示されることを特徴とする包装体。
【請求項２】
請求項１に記載の包装体であって、
前記包装袋が、４つの側面、上面および下面を有する略直方体であり、
前記４つの側面のうち一の側面が、前記情報表示部が設けられた情報表示面であり、
前記情報表示面の面積に対する前記情報表示部の面積の割合が５０％以下であることを特徴とする包装体。
【請求項３】
請求項２に記載の包装体であって、
前記４つの側面のうち、前記情報表示面以外の少なくとも１つの側面の全体が透明であることを特徴とする包装体。
【請求項４】
請求項１ないし３のいずれかに記載の包装体であって、
前記包装袋が脆弱線に沿って破断されて前記包装袋の一部が前記複数の収容物から離間することにより、収容物の取り出しに利用される開口が形成され、前記包装袋の前記一部に前記情報表示部の少なくとも一部が設けられることを特徴とする包装体。
【請求項５】
請求項４に記載の包装体であって、
前記包装袋が前記脆弱線に沿って破断されることにより、前記包装袋の前記一部が、周囲の部位から切り離されることを特徴とする包装体。
【請求項６】
請求項１ないし５のいずれかに記載の包装体であって、
前記第２情報が、前記複数の収容物の使用方法の写真または絵を用いた説明を含むことを特徴とする包装体。
【発明の詳細な説明】
【技術分野】
【０００１】
本発明は、排泄物を受ける吸収性物品、または、吸収性物品を着用する際に吸収性物品の外側を覆う外装物品である収容物が包装袋に収容された包装体に関する。
【背景技術】
【０００２】
従来より、使い捨ておむつや使い捨ておむつの内側に取り付けられる補助吸収具（例えば、尿取りパッド）等の吸収性物品は、通常、多数個（例えば、数十個）が積層された状態で包装袋に収容されて販売されており、包装袋には、収容物である吸収性物品の名称やサイズ等の情報が表示されている。
【０００３】
特許文献１では、吸収性物品を収容するパッケージにおいて、包装袋内の吸収性物品を視認するための小さい窓を包装袋に設けることが提案されている。また、特許文献２の包装体では、一括包装フィルムの側面に模様や色等のデザインが描かれ、当該デザインが描かれた部分の一部に透明窓が形成される。特許文献２では、吸収性物品のサイズや吸収能力等の情報が各吸収性物品に表示されており、当該情報が、上記透明窓を介して視認可能となっている。
【先行技術文献】
【特許文献】
【０００４】
【特許文献１】特表２０１０−５２３４２４号公報
【特許文献２】特開２００８−２３９１９６号公報
【発明の概要】
【発明が解決しようとする課題】
【０００５】
ところで、特許文献１および特許文献２のような包装体では、包装袋に設けられた透明窓が小さいため、吸収性物品の大きさや形状等を把握できる程度に吸収性物品を視認することができない。一方、透明窓を大きくすると、包装袋において情報を表示可能な場所が小さくなり、十分な情報を表示することができなくなってしまう。また、特許文献２のように吸収性物品に係る情報を、包装袋の外部から視認可能なように吸収性物品に表示すると、吸収性物品上の情報表示領域が大きくなって吸収性物品の見栄えが悪くなるおそれがある。特に、包装袋における情報表示を減らして、吸収性物品における情報表示を増やした場合、吸収性物品の見栄えはさらに悪くなるおそれがある。
【０００６】
本発明は、上記課題に鑑みなされたものであり、包装袋内の収容物を容易に確認するとともに情報の表示場所を容易に確保することを目的としている。
【課題を解決するための手段】
【０００７】
請求項１に記載の発明は、排泄物を受ける吸収性物品、または、吸収性物品を着用する際に吸収性物品の外側を覆う外装物品である収容物が包装袋に収容された包装体であって、透明のシート部材にて形成された包装袋と、前記包装袋に収容された複数の収容物とを備え、前記包装袋に、不透明の情報表示部が設けられ、前記情報表示部の外面に第１情報が表示され、前記情報表示部の内面に第２情報が表示される。
【０００８】
請求項２に記載の発明は、請求項１に記載の包装体であって、前記包装袋が、４つの側面、上面および下面を有する略直方体であり、前記４つの側面のうち一の側面が、前記情報表示部が設けられた情報表示面であり、前記情報表示面の面積に対する前記情報表示部の面積の割合が５０％以下である。
【０００９】
請求項３に記載の発明は、請求項２に記載の包装体であって、前記４つの側面のうち、前記情報表示面以外の少なくとも１つの側面の全体が透明である。
【００１０】
請求項４に記載の発明は、請求項１ないし３のいずれかに記載の包装体であって、前記包装袋が脆弱線に沿って破断されて前記包装袋の一部が前記複数の収容物から離間することにより、収容物の取り出しに利用される開口が形成され、前記包装袋の前記一部に前記情報表示部の少なくとも一部が設けられる。
【００１１】
請求項５に記載の発明は、請求項４に記載の包装体であって、前記包装袋が前記脆弱線に沿って破断されることにより、前記包装袋の前記一部が、周囲の部位から切り離される。
【００１２】
請求項６に記載の発明は、請求項１ないし５のいずれかに記載の包装体であって、前記第２情報が、前記複数の収容物の使用方法の写真または絵を用いた説明を含む。
【発明の効果】
【００１３】
本発明では、包装袋内の収容物を容易に確認することができるとともに情報の表示場所を容易に確保することができる。
【図面の簡単な説明】
【００１４】
【図１】一の実施の形態に係る包装体を示す斜視図である。
【図２】包装体を示す斜視図である。
【発明を実施するための形態】
【００１５】
図１は、本発明の一の実施の形態に係る包装体６を示す斜視図である。図１に示すように、包装体６は、排泄物を受ける複数の吸収性物品１（例えば、使い捨ておむつや補助パッド）が包装袋５に収容されたものであり、略直方体である。包装袋５は、非通気性の透明な包装シート部材にて形成される。複数の吸収性物品１は、個別包装されることなく、折り畳まれた上で所定の積層方向（本実施の形態では、図１中のＸ方向）に積層され、当該積層方向に圧縮された状態で略直方体の包装袋５に直接収容される。
【００１６】
包装袋５は、複数の吸収性物品１を収容する袋状の部位である袋部５１、および、袋部５１と連続する持ち手部５２を備える。持ち手部５２は、袋部５１の上側（すなわち、（＋Ｚ）側）に位置する帯状の部位であり、持ち手部５２の左右方向（すなわち、Ｘ方向）のおよそ中央には持ち手開口５２１が形成されている。包装体６の購入者等が持ち手部５２を持つ際には、購入者等の指が持ち手開口５２１に挿入され、持ち手開口５２１の上側の部位が把持される。
【００１７】
以下の説明では、包装袋５の袋部５１において、複数の吸収性物品１の図１中における（＋Ｚ）側および（−Ｚ）側をそれぞれ覆う面を、上面５１１および下面５１２と呼ぶ。また、上面５１１と下面５１２とを接続する４つの側面のうち、複数の吸収性物品１の（−Ｙ）側および（＋Ｙ）側をそれぞれ覆う面を、前面５１３および後面５１４と呼び、複数の吸収性物品１の（＋Ｘ）側および（−Ｘ）側をそれぞれ覆う面を、第１側面５１５および第２側面５１６と呼ぶ。
【００１８】
袋部５１の前面５１３には、略矩形状の不透明な情報表示部５３が設けられる。情報表示部５３は、インクジェット印刷やグラビア印刷等により形成される。具体的には、不透明の略矩形状の背景が印刷された上に様々な情報が印刷される。前面５１３の面積に対する情報表示部５３の面積の割合は、１０％以上５０％以下であることが好ましい。袋部５１の４つの側面のうち、情報表示面である前面５１３以外の３つの側面、すなわち、第１側面５１５、後面５１４および第２側面５１６は、その全体が透明である。また、袋部５１の上面５１１および下面５１２、並びに、持ち手部５２も、その全体が透明である。すなわち、包装袋５では、情報表示部５３以外の部位（袋部５１の角部も含む。）は全て透明である。
【００１９】
包装袋５では、袋部５１の前面５１３に、情報表示部５３の周囲を囲む脆弱線５４が設けられる。脆弱線５４により囲まれる部位５５は、略矩形状である。本実施の形態では、脆弱線５４は、断続的に形成された直線状の切れ目により形成されるミシン目である。脆弱線５４は、包装袋５を形成する包装シート部材を貫通しておらず、包装シート部材は脆弱線５４においても非通気性である。なお、脆弱線５４は、必ずしもミシン目である必要はなく、例えば、周囲の部位に比べて強度が小さい溝（すなわち、包装シート部材を貫通しない切り込み）であってもよい。
【００２０】
脆弱線５４は、情報表示部５３の（＋Ｚ）側および（−Ｚ）側にてＸ方向に略平行に延びる第１横線部５４１および第２横線部５４２、並びに、情報表示部５３の（＋Ｘ）側および（−Ｘ）側にてＹ方向に略平行に延びる第１縦線部５４３および第２縦線部５４４を有する。第１縦線部５４３の上端部は、（＋Ｘ）側に膨らむ凸状部５４５である。
【００２１】
包装体６では、脆弱線５４の凸状部５４５が破断され、凸状部５４５の（−Ｘ）側の部位が摘まれて手前側に引っ張られる。これにより、包装袋５が脆弱線５４の第１縦線部５４３、第１横線部５４１および第２横線部５４２に沿って破断され、包装袋５の一部である略矩形状の部位５５が、図２に示すように、複数の吸収性物品１から離間する。これにより、吸収性物品１の取り出しに利用される開口５０が包装袋５に形成される。以下の説明では、包装袋５の部位５５を「開口形成部５５」という。
【００２２】
開口形成部５５には情報表示部５３の全体が設けられており、図１に示すように、情報表示部５３の外面５３１には、吸収性物品１に係る第１情報５３３が表示される。第１情報５３３は、法律等にて表示が義務づけられている必須表示情報等、いわゆる、重要情報を含む。第１情報５３３に含まれる情報は、例えば、吸収性物品１の製品名やサイズ、吸収性物品１の使用方法に関する基本的な事項等である。また、図２に示すように、情報表示部５３の内面５３２には、必須表示情報ではない補助情報を含む第２情報５３４が表示される。第２情報５３４に含まれる情報は、例えば、吸収性物品１の詳細な使用方法を写真や絵を用いて説明したものである。なお、情報表示部５３の外面５３１には、内面５３２にも情報が表示されている旨の注意書きが表示されることが好ましい。
【００２３】
以上に説明したように、包装体６では、包装袋５が透明の包装シート部材により形成されることにより、吸収性物品１の購入者や使用者が、包装袋５に収容された吸収性物品１を、包装袋５の情報表示部５３以外の部位を介して容易に視認し、吸収性物品１の大きさや色等を容易に確認することができる。また、包装体６では、包装袋５に設けられた不透明の情報表示部５３において、外面５３１に第１情報５３３が表示され、内面５３２に第２情報５３４が表示される。このように、情報表示部５３の両面に異なる情報を表示することにより、包装袋５において情報の表示場所を容易に確保することができる。
【００２４】
包装体６では、袋部５１の４つの側面のうち、前面５１３のみに情報表示部５３が設けられ、残りの３つの側面の全体が透明であるため、包装袋５内に収容された吸収性物品１をより容易に確認することができる。また、前面５１３の面積に対する情報表示部５３の面積の割合が５０％以下であるため、前面５１３を介しても包装袋５内の吸収性物品１を容易に確認することができる。さらに、当該割合が１０％以上であるため、包装袋５において情報の表示場所を容易に確保することができる。
【００２５】
包装袋５では、情報表示部５３が開口形成部５５に設けられるため、包装袋５が脆弱線５４の第１縦線部５４３、第１横線部５４１および第２横線部５４２に沿って破断されて開口形成部５５が複数の吸収性物品１から離間することにより、情報表示部５３の外面および内面の情報を容易に確認することができる。包装体６では、包装袋５が、図２に示す第２縦線部５４４に沿って破断されることにより、開口形成部５５が周囲の部位から切り離されてもよい。これにより、情報表示部５３を見やすい位置に容易に移動することができ、情報表示部５３の外面および内面の情報をより容易に確認することができる。
【００２６】
上述のように、包装体６では、情報表示部５３の内面に表示される第２情報５３４が、吸収性物品１の使用方法の写真または絵を用いた説明を含む。吸収性物品１の使用者は、包装袋５に開口５０を形成した後、上記説明を見ることにより、吸収性物品１の詳細な使用方法を容易に理解することができる。また、開口５０の形成前においては、吸収性物品１の使用方法の写真や絵等、包装体６の見栄えを損なう可能性がある情報が、実質的に視認できない状態となっているため、吸収性物品１の購入予定者の購入意欲が当該情報により削がれることが防止される。
【００２７】
以上、本発明の実施の形態について説明してきたが、本発明は上記実施の形態に限定されるものではなく、様々な変更が可能である。
【００２８】
情報表示部５３は、必ずしも開口形成部５５に含まれる必要はなく、開口形成部５５は、例えば、情報表示部５３が設けられる前面５１３以外の側面に設けられてもよい。ただし、情報表示部５３の少なくとも一部は、開口形成部５５に設けられることが好ましい。これにより、開口５０の形成後に情報表示部５３の外面５３１および内面５３２の情報の少なくとも一部をを容易に確認することができる。
【００２９】
包装袋５では、必ずしも、情報表示面である前面５１３以外の全ての部位が透明である必要はなく、前面５１３以外の部位にも不透明な部位が設けられてよい。当該不透明な部位は、情報が表示される他の情報表示部であってもよく、単なるデザイン等であってもよい。ただし、前面５１３以外の少なくとも１つの側面の全体が透明であることが好ましい。これにより、全体が透明である側面を介して包装袋５内に収容された吸収性物品１をより容易に確認することができる。また、前面５１３以外の部位にも情報表示部が設けられる場合、袋部５１の全表面積に対する情報表示部の全面積の割合は１０％以上５０％以下であることが好ましい。これにより、包装袋５において情報の表示場所を容易に確保することができるとともに包装袋５内の吸収性物品１を容易に確認することができる。
【００３０】
情報表示部５３は、必ずしも、透明な包装シート部材上に印刷されたものである必要はなく、例えば、包装シート部材とは別部材である不透明な情報表示シートの一方の面に第１情報５３３が表示され、他方の面に第２情報５３４が表示され、当該情報表示シートが包装シート部材の外面または内面に接合されてもよい。あるいは、帯状の情報表示シートが、前面５１３、第１側面５１５、後面５１４および第２側面５１６に当接しつつ巻き付けられて包装シート部材に取り付けられてもよい。
【００３１】
包装体６では、複数の吸収性物品１は、吸収性物品１の大きさや形状等が視認可能な状態で個別包装された上で包装袋５に収容されてもよい。包装袋５に収容される収容物は、必ずしも吸収性物品１には限定されず、吸収性物品を着用する際に吸収性物品の外側を覆う外装物品（例えば、おむつカバー）であってもよい。包装袋５の形状は、必ずしも、略直方体である必要はなく、収容物の形状や収容個数に応じて適宜変更されてよい。
【００３２】
上記実施形態および各変形例における構成は、相互に矛盾しない限り適宜組み合わされてよい。
【符号の説明】
【００３３】
１    吸収性物品
５    包装袋
６    包装体
５０    開口
５３    情報表示部
５４    脆弱線
５５    開口形成部
５１１    上面
５１２    下面
５１３    前面
５１４    後面
５１５    第１側面
５１６    第２側面
５３１    外面
５３２    内面
５３３    第１情報
５３４    第２情報
【図１】
2013000163.tif 000003
【図２】
2013000163.tif 000004